(57)【特許請求の範囲】
【請求項１】
支持部材と、
前記支持部材に支持されると共に、電気配線が取り付けられる取付部を備え、前記支持部材に取り付けられた状態で一の方向へ移動可能な電気部品と、
前記取付部に取り付けられる前記電気配線を前記電気配線の外周側から支持し、前記支持部材に形成された案内部に案内されて前記一の方向と交差すると共に前記支持部材の取付面に沿った他の方向に移動するように前記支持部材に支持され、前記案内部に案内されて前記他の方向に移動した状態で前記支持部材に支持された前記電気部品が前記一の方向へ移動しようとすると前記電気部品と当るように配置される配線支持部材と、
を備えた電気部品の支持構造。
【請求項２】
前記配線支持部材が前記支持部材に取り付けられていない状態で、前記支持部材に取り付けられた前記電気部品を前記一の方向に移動させると、前記電気部品が前記支持部材から取り外される請求項１に記載の電気部品の支持構造。
【請求項３】
前記配線支持部材は、前記支持部材に形成された前記案内部に案内されて前記他の方向に移動させることで前記支持部材に着脱される請求項１又は２に記載の電気部品の支持構造。
【請求項４】
前記一の方向と前記他の方向とが直交する請求項１〜３の何れか１項に記載の電気部品の支持構造。
【請求項５】
複数個の現像ロールと、
複数個の前記現像ロールが外周面に沿って回転可能に支持されると共に、回転軸周りに回転する回転体と、
請求項１〜４の何れか１項に記載された電気部品の支持構造によって支持部材に支持される電気部品であって、前記回転体が決められた位置に停止した状態で前記回転体を検知する検知部材と、
を備える現像装置。
【請求項６】
請求項５に記載の現像装置と、
表面に形成された静電潜像が前記現像装置によって現像される像保持体と、
を備える画像形成装置。
【発明の詳細な説明】
【技術分野】
【０００１】
本発明は、電気部品の支持構造、現像装置及び画像形成装置に関する。
【背景技術】
【０００２】
特許文献１には汎用性のある工具によって爪の係止を解除する構成について記載されている。
【０００３】
詳細には、スナップフィット結合部材は、枠体の内側に対して、一対の揺動片を収納する。この揺動片は、中間部の背面側を支持バーによって枠体に連結されるとともに、下端に係止部が設けられている。そして、揺動片の上端の対置側には、凸部を形成し、この凸部の間からドライバーなどの工具を挿入することによって、揺動片の下端を対置側に揺動させて、係止孔に係止されている係止部の係止状態を解除するようになっている。
【先行技術文献】
【特許文献】
【０００４】
【特許文献１】特開２００３−３２８６２号公報
【発明の概要】
【発明が解決しようとする課題】
【０００５】
本発明の課題は、追加部品を用いることなく支持部材に取り付けられた電気部品の位置ずれを抑制することである。
【課題を解決するための手段】
【０００６】
請求項１に係る電気部品の支持構造は、支持部材と、前記支持部材に支持されると共に、電気配線が取り付けられる取付部を備え、前記支持部材に取り付けられた状態で一の方向へ移動可能な電気部品と、前記取付部に取り付けられる前記電気配線を前記電気配線の外周側から支持し、前記支持部材に形成された案内部に案内されて前記一の方向と交差すると共に前記支持部材の取付面に沿った他の方向に移動するように前記支持部材に支持され、前記案内部に案内されて前記他の方向に移動した状態で前記支持部材に支持された前記電気部品が前記一の方向へ移動しようとすると前記電気部品と当るように配置される配線支持部材と、を備えたことを特徴とする。
請求項２に係る電気部品の支持構造は、請求項１に記載において、前記配線支持部材が前記支持部材に取り付けられていない状態で、前記支持部材に取り付けられた前記電気部品を前記一の方向に移動させると、前記電気部品が前記支持部材から取り外されることを特徴とする。
【０００７】
請求項３に係る電気部品の支持構造は、請求項１又は２に記載において、前記配線支持部材は、前記支持部材に形成された前記案内部に案内されて前記他の方向に移動させることで前記支持部材に着脱されることを特徴とする。
【０００８】
請求項４に係る電気部品の支持構造は、請求項１〜３の何れか１項に記載において、前記一の方向と前記他の方向とが直交することを特徴とする。
【０００９】
請求項５に係る現像装置は、複数個の現像ロールと、複数個の前記現像ロールが外周面に沿って回転可能に支持されると共に、回転軸周りに回転する回転体と、請求項１〜４の何れか１項に記載された電気部品の支持構造によって支持部材に支持される電気部品であって、前記回転体が決められた位置に停止した状態で前記回転体を検知する検知部材と、を備えることを特徴とする。
【００１０】
請求項６に係る画像形成装置は、請求項５に記載の現像装置と、表面に形成された静電潜像が前記現像装置によって現像される像保持体と、を備えることを特徴とする。
【発明の効果】
【００１１】
本発明の請求項１の構成によれば、一の方向へ移動しようとする電気部品と当るように配線支持部材が配置されていない場合と比して、追加部品を用いることなく支持部材に取り付けられた電気部品の位置ずれを抑制することができる。
【００１２】
本発明の請求項２の構成によれば、一の方向へ移動しようとする電気部品と当るように配線支持部材が配置されていない場合と比して、追加部品を用いることなく支持部材に取り付けられた電気部品が支持部材から取り外される（離脱する）のを抑制することができる。
【００１３】
本発明の請求項３の構成によれば、配線支持部材が一の方向に移動することで支持部材から着脱される場合と比して、一の方向へ移動しようとする電気部品と当った配線支持部材が支持部材から離脱するのが抑制される。
【００１４】
本発明の請求項４の構成によれば、一の方向と他の方向とが直交していない構成と比して、効果的に、支持部材に取り付けられた電気部品の位置ずれを抑制することができる。
【００１５】
本発明の請求項５の構成によれば、請求項１〜４の何れか１項に記載された電気部品の支持構造によって支持部材に支持される検知部材を備えない場合と比して、追加部品を用いることなく決められた位置に停止した回転体の検知精度を向上させることができる。
【００１６】
本発明の請求項６の構成によれば、請求項５に記載の現像装置を備えない場合と比して、出力画像の品質を向上させることができる。
【図面の簡単な説明】
【００１７】
【図１】本実施形態に係る電気部品の支持構造を示した斜視図である。
【図２】本実施形態に係る電気部品の支持構造を示した斜視図である。
【図３】本実施形態に係る電気部品の支持構造を示した斜視図である。
【図４】（Ａ）（Ｂ）（Ｃ）本実施形態に係る電気部品の支持構造を示した斜視図である。
【図５】本実施形態に係る電気部品の支持構造を示した側面図である。
【図６】本実施形態に係る電気部品の支持構造を示した平面図である。
【図７】本実施形態に係る現像装置を示した拡大斜視図である。
【図８】本実施形態に係る電気部品の支持構造を示し、図６の８−８線の断面図である。
【図９】本実施形態に係る電気部品の支持構造を示し、図６の９−９線の断面図である。
【図１０】本実施形態に係る現像装置を示した斜視図である。
【図１１】本実施形態に係る現像装置等を示した構成図である。
【図１２】本実施形態に係る画像形成装置を示した概略構成図である。
【発明を実施するための形態】
【００１８】
以下に、本発明に係る電気部品の支持構造、現像装置及び画像形成装置の実施形態の一例について図１〜図１２に基づき説明する。
【００１９】
（全体構成）
まず、本実施形態に係る画像形成装置の構成を説明する。図１２は、本実施形態に係る画像形成装置の構成を示す概略図である。
【００２０】
画像形成装置１０は、記録媒体の一例としての記録用紙Ｐが収容される用紙収容部１２と、用紙収容部１２の上に設けられ、用紙収容部１２から供給される記録用紙Ｐに画像形成を行う画像形成部１４と、画像形成部１４の上に設けられ、読取原稿Ｇを読み取る原稿読取部１６と、画像形成部１４内に設けられ画像形成装置１０の各部の動作を制御する制御部２０と、を含んで構成されている。
【００２１】
なお、以後の説明では、画像形成装置１０の装置本体１０Ａの上下方向を矢印Ｖ方向、水平方向を矢印Ｈ方向と記載する。
【００２２】
用紙収容部１２には、サイズの異なる記録用紙Ｐが収容される第１収容部２２、第２収容部２４、及び第３収容部２６が設けられている。第１収容部２２、第２収容部２４、及び第３収容部２６には、収容された記録用紙Ｐを画像形成装置１０内に設けられた搬送路２８に送り出す送り出しロール３２が設けられている。搬送路２８における送り出しロール３２よりも下流側には、記録用紙Ｐを一枚ずつ搬送するそれぞれ一対の搬送ロール３４及び搬送ロール３６が設けられている。
【００２３】
また、搬送路２８における記録用紙Ｐの搬送方向で搬送ロール３６よりも下流側には、記録用紙Ｐを一端停止させるとともに、決められたタイミングで後述する二次転写位置へ送り出す位置合せロール３８が設けられている。
【００２４】
搬送路２８の上流側部分は、画像形成装置１０の正面視において、矢印Ｖ方向に向けて用紙収容部１２の左側から画像形成部１４の左側下部まで直線状に設けられている。また、搬送路２８の下流側部分は、画像形成部１４の左側下部から画像形成部１４の右側面に設けられた排紙部１５まで設けられている。さらに、搬送路２８には、記録用紙Ｐの両面に画像形成を行うために記録用紙Ｐが搬送及び反転される両面搬送路２９が接続されている。
【００２５】
両面搬送路２９は、画像形成装置１０の正面視において、搬送路２８と両面搬送路２９の切り替えが行われる第１切替部材３１と、画像形成部１４の右側下部から用紙収容部１２の右側まで矢印Ｖ方向に直線状に設けられた反転部３３と、反転部３３に搬送された記録用紙Ｐの後端が進入するとともに矢印Ｈ方向に搬送される搬送部３７と、反転部３３と搬送部３７の切り替えが行われる第２切替部材３５と、を有している。そして、反転部３３には一対の搬送ロール４２が間隔をあけて複数箇所に設けられており、搬送部３７には一対の搬送ロール４４が間隔をあけて複数箇所に設けられている。
【００２６】
第１切替部材３１は三角柱状の部材であり、図示しない駆動手段によって先端部が搬送路２８又は両面搬送路２９のいずれか一方に移動されることで、記録用紙Ｐの搬送方向を切り替えるようになっている。同様に、第２切替部材３５は三角柱状の部材であり、図示しない駆動手段によって先端部が反転部３３又は搬送部３７のいずれか一方に移動されることで、記録用紙Ｐの搬送方向を切り替えるようになっている。なお、搬送部３７の下流側端部は、搬送路２８の上流側部分にある搬送ロール３６の手前側に図示しない案内部材により接続されている。また、画像形成部１４の左側面には、折り畳み式の手差給紙部４６が設けられており、手差給紙部４６から搬送路２８の位置合せロール３８へ記録用紙Ｐを搬送可能とされている。
【００２７】
原稿読取部１６は、読取原稿Ｇを１枚ずつ搬送する原稿搬送装置５２と、原稿搬送装置５２の下側に配置され読取原稿Ｇが載せられるプラテンガラス５４と、原稿搬送装置５２によって搬送された読取原稿Ｇ又はプラテンガラス５４に載せられた読取原稿Ｇを読み取る原稿読取装置５６とが設けられている。原稿搬送装置５２は、一対の搬送ロール５３が複数配置された搬送路５５を有しており、搬送路５５の一部は記録用紙Ｐがプラテンガラス５４上を通るように配置されている。また、原稿読取装置５６は、プラテンガラス５４の左端部に静止した状態で原稿搬送装置５２によって搬送された読取原稿Ｇを読み取り、又は矢印Ｋ方向に移動しながらプラテンガラス５４に載せられた読取原稿Ｇを読み取るようになっている。
【００２８】
一方、画像形成部１４には、装置本体１０Ａの中央部に円筒状の像保持体６２が設けられている。像保持体６２は、図示しない駆動手段によって矢印＋Ｒ方向（図１２における時計回り方向）に回転すると共に光照射によって形成される静電潜像を保持するようになっている。また、像保持体６２の上方で且つ像保持体６２の外周面と対向する位置には、像保持体６２の表面を帯電するコロトロン方式の帯電装置６４が設けられている。
【００２９】
像保持体６２の回転方向における帯電装置６４よりも下流側で且つ像保持体６２の外周面と対向する位置には、露光装置６６が設けられている。露光装置６６は、帯電装置６４により帯電した像保持体６２の外周面に各トナー色に対応した画像信号に基づき、光を照射（露光）して静電潜像を形成するようになっている。
【００３０】
像保持体６２の回転方向で露光装置６６の露光光が照射される部位よりも下流側には、像保持体６２の外周面に形成された静電潜像を決められた色のトナーで現像して可視化させる回転切り替え式の現像装置７０が設けられている。なお、現像装置７０の具体的な構成については後述する。
【００３１】
像保持体６２の回転方向で現像装置７０よりも下流側であり且つ像保持体６２の下側には、像保持体６２の外周面に形成されたトナー画像が転写される中間転写ベルト６８が設けられている。中間転写ベルト６８は、無端状であり、制御部２０により回転駆動される駆動ロール６１、中間転写ベルト６８に張力を付与するための張力付与ロール６３、中間転写ベルト６８の裏面に接触して従動回転する複数の搬送ロール６５、及び後述する二次転写位置において中間転写ベルト６８の裏面に接触して従動回転する補助ロール６９に巻き掛けられている。そして、中間転写ベルト６８は、駆動ロール６１が回転することにより、矢印−Ｒ方向（図１１における反時計回り方向）に周回移動するようになっている。
【００３２】
また、中間転写ベルト６８を挟んで像保持体６２の反対側には、像保持体６２の外周面に形成されたトナー画像を中間転写ベルト６８に一次転写させる一次転写ロール６７が設けられている。一次転写ロール６７は、像保持体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている像保持体６２との電位差で像保持体６２のトナー画像を中間転写ベルト６８に一次転写するようになっている。
【００３３】
さらに、中間転写ベルト６８を挟んで補助ロール６９の反対側には、中間転写ベルト６８上に一次転写されたトナー画像を記録用紙Ｐに二次転写させる転写手段の一例としての二次転写ロール７１が設けられており、二次転写ロール７１と補助ロール６９との間が記録用紙Ｐへトナー画像を転写する二次転写位置とされている。
【００３４】
二次転写ロール７１は、中間転写ベルト６８の表面に接触している。そして、二次転写ロール７１は、図示しない電源から通電されることにより、接地されている補助ロール６９との電位差で中間転写ベルト６８のトナー画像を記録用紙Ｐに二次転写するようになっている。
【００３５】
図１１に示されるように、中間転写ベルト６８を挟んで駆動ロール６１の反対側には、中間転写ベルト６８の二次転写後の残留トナーを回収する現像剤回収装置の一例としてのクリーニング装置１００が設けられている。クリーニング装置１００では、クリーニングブレード１０６が中間転写ベルト６８に接触してトナーを掻き取るようになっている。このクリーニング装置１００のクリーニングブレード１０６及び二次転写ロール７１は、各色のトナー画像が中間転写ベルト６８に多重（一次）転写され且つ記録用紙Ｐ上に二次転写されるまで、中間転写ベルト６８の外周面から離れるようになっている。
【００３６】
さらに、中間転写ベルト６８の周囲で張力付与ロール６３と対向する位置には、中間転写ベルト６８の表面に付されたマーク（図示省略）を検知することで中間転写ベルト６８上の予め定めた基準位置を検出し、画像形成処理の開始タイミングの基準となる位置検出信号を出力する位置検出センサ８３が設けられている。
【００３７】
像保持体６２の回転方向で一次転写ロール６７よりも下流側には、中間転写ベルト６８に一次転写されずに像保持体６２の表面に残留した残留トナー等を清掃するクリーニング装置７３が設けられている。クリーニング装置７３は、像保持体６２表面に接触するクリーニングブレード及びブラシロールにより残留トナー等を回収する構成となっている。また、像保持体６２の回転方向でクリーニング装置７３の上流側（一次転写ロール６７よりも下流側）には、像保持体６２の外周面に光を照射して除電を行う除電装置７５が設けられている。
【００３８】
除電装置７５は、クリーニング装置７３による残留トナー等の回収前に像保持体６２の外周面に光を照射して除電することで静電気による付着力を低減し、残留トナー等の回収率を高めるためのものである。なお、クリーニング装置７３の下流側で且つ帯電装置６４の上流側に、残留トナー等の回収後の除電手段を設けてもよい。
【００３９】
図１２に示されるように、二次転写ロール７１によるトナー画像の二次転写位置は、前述の搬送路２８の途中に設定されており、搬送路２８における記録用紙Ｐの搬送方向（矢印Ａで図示）で二次転写ロール７１よりも下流側には、二次転写ロール７１によってトナー画像が転写された記録用紙Ｐにトナー画像を定着させる定着装置８０が設けられている。定着装置８０は、記録用紙Ｐのトナー画像面側（上側）に配置され、通電により発熱する熱源を有する加熱ロール８２と、加熱ロール８２の下側に配置され記録用紙Ｐを加熱ロール８２の外周面に向けて加圧する加圧ロール８４とで構成されている。なお、搬送路２８における記録用紙Ｐの搬送方向で定着装置８０よりも下流側には、排紙部１５又は反転部３３へ向けて記録用紙Ｐを搬送する搬送ロール３９が設けられている。
【００４０】
一方、原稿読取装置５６の下側で現像装置７０よりも上側には、イエロー（Ｙ）、マゼンタ（Ｍ）、シアン（Ｃ）、黒（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが水平方向に並んで交換可能に設けられている。
【００４１】
なお、第１特別色Ｅ及び第２特別色Ｆは、イエロー、マゼンタ、シアン、ブラック以外の特別色（透明を含む）から選択され、または、選択されないようになっている。そして、現像装置７０では、第１特別色Ｅ及び第２特別色Ｆが選択された場合はＹ、Ｍ、Ｃ、Ｋ、Ｅ、Ｆの６色での画像形成を行い、第１特別色Ｅ及び第２特別色Ｆが選択されない場合はＹ、Ｍ、Ｃ、Ｋの４色での画像形成を行うようになっている。
【００４２】
なお、画像形成装置１０には、装置本体１０Ａに対して開閉される開閉部１０Ｂが、画像形成部１４の右側面に設けられている。
【００４３】
次に、現像装置７０の具体的な構成について説明する。
【００４４】
図１０及び図１１に示されるように、現像装置７０は、装置本体１０Ａ（図１２参照）に対して回転軸８６Ａを中心に回転可能に支持された回転体８６を備えている。
【００４５】
そして、この回転体８６の外周面に沿ってイエロー（Ｙ）、マゼンタ（Ｍ）、シアン（Ｃ）、黒（Ｋ）、第１特別色（Ｅ）、第２特別色（Ｆ）の各トナー色にそれぞれ対応する現像器７２Ｙ、７２Ｍ、７２Ｃ、７２Ｋ、７２Ｅ、７２Ｆが、この順番で並んで配置されている。
【００４６】
図１１に示されるように、現像装置７０では、回転手段としてのモータ（図示省略）によって回転体８６が中心角で６０°ずつ矢印＋Ｒ方向に回転することで、現像処理を行う現像器７２Ｙ、７２Ｍ、７２Ｃ、７２Ｋ、７２Ｅ、７２Ｆが切り替えられ、像保持体６２の外周面と対向するようになっている。なお、現像器７２Ｙ、７２Ｍ、７２Ｃ、７２Ｋ、７２Ｅ、７２Ｆは同様の構成となっているため、ここでは現像器７２Ｙについて説明し、他の現像器７２Ｍ、７２Ｃ、７２Ｋ、７２Ｅ、７２Ｆについては説明を省略する。
【００４７】
現像器７２Ｙは、本体となるケース部材７６を有しており、ケース部材７６内にトナーカートリッジ７８Ｙ（図１２参照）からトナー供給路（図示省略）を経由して供給されるトナー及びキャリアから成る現像剤（図示省略）が充填されている。また、ケース部材７６には、像保持体６２の外周面と対向して矩形状の開口部７６Ａが形成されており、開口部７６Ａには、外周面が像保持体６２の外周面と対向する現像ロール７４が設けられている。
【００４８】
現像ロール７４は、ケース部材７６に回転可能に支持されている。さらに、ケース部材７６内で開口部７６Ａに近い部位には、現像ロール７４により搬送される現像剤の層厚を規制するための板状の規制部材７９が、開口部７６Ａの長手方向に沿って設けられている。
【００４９】
現像ロール７４は、回転可能に設けられた円筒状の現像スリーブ７４Ａと、現像スリーブ７４Ａの内側に固定された複数の磁極から成る磁性部材７４Ｂと、で構成されている。現像ロール７４では、現像スリーブ７４Ａが回転することで現像剤（キャリア）の磁気ブラシが形成されると共に、規制部材７９で層厚が規制されることで、現像スリーブ７４Ａの外周面に現像剤層を形成するようになっている。そして、現像スリーブ７４Ａの外周面の現像剤層は、像保持体６２に対向する位置に搬送され、像保持体６２の外周面に形成された潜像（静電潜像）に応じたトナーを付着させて現像を行う。
【００５０】
また、ケース部材７６内には、螺旋状に形成された搬送ローラ７７が２本回転可能に並列配置されており、この２本の搬送ローラ７７が回転することで、ケース部材７６内に充填された現像剤が、現像ロール７４の軸方向（現像器７２Ｙの長手方向）に循環搬送されるようになっている。なお、各現像器７２Ｙ、７２Ｍ、７２Ｃ、７２Ｋ、７２Ｅ、７２Ｆに設けられた６本の現像ロール７４は、隣の現像ロール７４との間隔が中心角６０°となるように周方向に配置されており、現像器７２の切り替えにより、次の現像ロール７４が像保持体６２の外周面と対向するようになっている。なお、現像ロール７４と像保持体６２とを対向させるためには、装置本体１０Ａ（図１２参照）に対して回転体８６の回転位置を検知しなければならない。
【００５１】
（要部構成）
次に、装置本体１０Ａ（図１２参照）に対して回転体８６の回転位置を検知する構成について説明する。
【００５２】
図１０に示されるように、回転体８６の回転軸方向（以下単に「回転軸方向」と言う）の一端側には、リング状のリング部材１２０が、回転体８６の構成部品として設けられており、回転体８６が回転することでリング部材１２０も回転するようになっている。そして、このリング部材１２０には、回転軸方向の外側に突出する矩形状の突起部１２２が１つだけ形成されている。
【００５３】
さらに、図７に示されるように、この突起部１２２を検知する電気部品の一例としての検知部材１２４が設けられている。そして、この検知部材１２４は、電気部品の支持構造１３０によって支持部材１２６に支持されており、この支持部材１２６は装置本体１０Ａに固定されている。
【００５４】
図３、図５に示されるように、検知部材１２４は、回転軸方向の内側に開放される検知部１２４Ａと、後述する電気配線１３４の一端が取り付けられる取付部の一例としてのコネクタ１２４Ｂとを備えている。そして、突起部１２２がこの検知部１２４Ａ内を通過したとき、又は、検知部１２４Ａ内で停止しているとき、検知部材１２４が突起部１２２を検知するようになっている。
【００５５】
また、検知部材１２４において検知部１２４Ａの開放側に対して反対側には、回転軸方向の外側に突出する一対の爪部１３２が設けられている。この一対の爪部１３２は、支持部材１２６に取り付けられた状態で、回転体８６の径方向（一の方向の一例、図３で示す矢印Ｇ方向）の内側（回転軸８６Ａ側）に配置される第一爪１３２Ａと、第一爪１３２Ａの反対側に設けられる第二爪１３２Ｂとを備えている。
【００５６】
そして、支持部材１２６には、第一爪１３２Ａが縁部に引掛けられる矩形状の貫通孔１２８と、第二爪１３２Ｂが縁部に引掛けられる矩形状の貫通孔１２９とが、矢印Ｇ方向に沿って並んで形成されている。検知部材１２４を支持部材１２６に取り付ける際には、第一爪１３２Ａ及び第二爪１３２Ｂを互いに近づくように弾性変形させ、第一爪１３２Ａ及び第二爪１３２Ｂを貫通孔１２８及び貫通孔１２９に支持部材１２６の表面１２６Ａ側から通して第一爪１３２Ａ及び第二爪１３２Ｂを弾性復帰させる。これにより、検知部材１２４が支持部材１２６の表面１２６Ａ側に取り付けられるようになっている（所謂スナップフィットで取り付けられるようになっている）。
【００５７】
次に、検知部材１２４のコネクタ１２４Ｂに取り付けられる電気配線１３４（図７参照）を支持する配線支持部材１３６について説明する。
【００５８】
図３に示されるように、配線支持部材１３６は、電気配線１３４を支持する筒部１４０を備えており、この筒部１４０は、噛合部１４２を噛み合わせ又は噛み合わせを解除させることで開閉自在とされている。この構成により、筒部１４０を開放させた状態で、筒部１４０に電気配線１３４を挿入し、さらに、噛合部１４２を噛み合わせることで電気配線１３４が筒部１４０に支持されるようになっている。
【００５９】
さらに、配線支持部材１３６は、支持部材１２６に取り付けられるようになっている。詳細には、支持部材１２６に取り付けられる側の筒部１４０の底面１４０Ａには、支持部材１２６への取付方向（図３で示す矢印Ｊ方向）から見て、Ｔ字状の挿入部１４４（図６参照）が設けられている。そして、この挿入部１４４と底面１４０Ａとは、断面矩形状の連結部１４６によって連結されている。
【００６０】
さらに、底面１４０Ａには、矢印Ｇ方向から見て連結部１４６を挟むように、傘状に湾曲した一対の湾曲部１４８が設けられている。
【００６１】
詳細には、湾曲部１４８は、Ｔ字状の挿入部１４４の先端側（Ｔ字の横棒側）に配置された第一湾曲部１４８Ａと、連結部１４６を挟んで第一湾曲部１４８Ａに対して反対側に設けられた第二湾曲部１４８Ｂとを備えている。また、第二湾曲部１４８Ｂの先端には、支持部材１２６に取り付けられた状態で、矢印Ｇ方向に突出する突起１５０が設けられている。そして、配線支持部材１３６が支持部材１２６に後述する取り付けられた状態で、湾曲部１４８は、支持部材１２６の裏面１２６Ｂに押されて弾性変形し、この復元力により筒部１４０のガタつきが抑制されるようになっている。
【００６２】
一方、支持部材１２６には、配線支持部材１３６が取り付けられる貫通孔１５２が形成されている。この貫通孔１５２は、配線支持部材１３６に設けられた挿入部１４４と対応するように、横孔部１５２Ａと縦孔部１５２Ｂ（案内部の一例）とから構成されるＴ字状とされている。そして、この縦孔部１５２Ｂは、前述した矢印Ｇ方向に対して直交する直交方向（他の方向の一例、図３で示す矢印Ｈ方向）に延びている。
【００６３】
この構成により、配線支持部材１３６を支持部材１２６に取り付ける際には、配挿入部１４４を、Ｔ字状が対応するように支持部材１２６に形成された貫通孔１５２に支持部材１２６の裏面１２６Ｂ側から挿入する（図２参照）。挿入部１４４を貫通孔１５２に挿入した状態で、配線支持部材１３６を縦孔部１５２Ｂに沿って矢印Ｈ方向へ移動させる（図１参照）。これにより、配線支持部材１３６が支持部材１２６に取り付けられるようになっている。
【００６４】
そして、配線支持部材１３６が支持部材１２６に取り付けられた状態で、第二湾曲部１４８Ｂの先端側に設けられた突起１５０が、検知部材１２４に設けられた第一爪１３２Ａに当り、第一爪１３２Ａが、第二爪１３２Ｂ側に撓まないようになっている（図９参照）。
【００６５】
また、第一湾曲部１４８Ａには、支持部材１２６の裏面側に突となる突起１５６が設けられている。そして、配線支持部材１３６が支持部材１２６に取り付けられた状態で、この突起１５６が、貫通孔１５２の横孔部１５２Ａに嵌るようになっている。これにより、支持部材１２６に取り付けられた配線支持部材１３６の矢印Ｈ方向の移動が規制されるようになっている（図８参照）。
【００６６】
また、図６、図７に示されるように、支持部材１２６の裏面１２６Ｂには、配線支持部材１３６と同様に、電気配線１３４を支持する配線支持部材１６０が、支持部材１２６に形成された円孔１６２に取り付けられるようになっている。
【００６７】
さらに、板部材を折り曲げて形成された支持部材１２６において、配線支持部材１６０が取り付けられた面とは異なる面には、電気配線１３４の他端が固定される結線部材１６４が取り付けられている。
【００６８】
（作用）
次に、支持部材１２６に、検知部材１２４及び配線支持部材１３６等を取り付ける工程について説明し、その説明の中で、電気部品の支持構造１３０の作用について説明する。
【００６９】
検知部材１２４の第一爪１３２Ａ及び第二爪１３２Ｂを互いに近づくように弾性変形させ、第一爪１３２Ａ及び第二爪１３２Ｂを貫通孔１２８及び貫通孔１２９に支持部材１２６の表面１２６Ａ側から通して第一爪１３２Ａ及び第二爪１３２Ｂを弾性復帰させる。これにより、図３、図４（Ａ）に示されるように、検知部材１２４を支持部材１２６の表面１２６Ａに取り付ける。さらに、結線部材１６４を支持部材１２６に取り付ける。
【００７０】
次に、図２、図４（Ｂ）に示されるように、配線支持部材１６０を支持部材１２６に形成された円孔１６２へ支持部材１２６の裏面１２６Ｂ側から取り付ける。さらに、配線支持部材１３６の挿入部１４４（図３、図６参照）を、Ｔ字状が対応するように支持部材１２６に形成された貫通孔１５２に支持部材１２６の裏面１２６Ｂ側から挿入する。
【００７１】
次に、図１に示されるように、配線支持部材１３６の挿入部１４４を貫通孔１５２に挿入した状態で、配線支持部材１３６を矢印Ｈ方向へ移動させる（図１参照）。これにより、配線支持部材１３６が支持部材１２６に取り付けられ、配線支持部材１３６の突起１５０が第一爪１３２Ａに当り、第一爪１３２Ａが第二爪１３２Ｂ側に撓まないようになる。
【００７２】
さらに、配線支持部材１３６の突起１５６が、貫通孔１５２の横孔部１５２Ａに嵌まり、支持部材１２６に取り付けられた配線支持部材１３６が矢印Ｈ方向に移動するのが規制される（図８参照）。
【００７３】
次に、図４（Ｃ）に示されるように、電気配線１３４の一端を矢印Ｇ方向に移動させて検知部材１２４のコネクタ１２４Ｂに取り付け、電気配線１３４の他端を結線部材１６４に取り付ける。さらに、電気配線１３４の一端と他端との間を、配線支持部材１３６及び配線支持部材１６０に支持させる。
【００７４】
これにより、電気配線１３４及び検知部材１２４が支持部材１２６に取り付けられる。
【００７５】
なお、検知部材１２４を支持部材１２６から取り外す場合には、前述した工程に対して逆の工程を行うことで検知部材１２４が支持部材１２６から取り外される。ここで、配線支持部材１３６を支持部材１２６から取り外す際には、突起１５６を貫通孔１５２の横孔部１５２Ａから引き出すことで、支持部材１２６が矢印Ｈ方向に移動可能となる。
【００７６】
以上説明したように、検知部材１２４が支持部材１２６に取り付けられた状態で、配線支持部材１３６の突起１５０を第一爪１３２Ａに当てて、第一爪１３２Ａが第二爪１３２Ｂ側に撓まないようにすることで、別途専用部品を用いることなく検知部材１２４の位置ずれが抑制される。
【００７７】
また、第一爪１３２Ａが第二爪１３２Ｂ側に撓まないようにすることで、検知部材１２４が、矢印Ｇ方向に移動するのが防止され、支持部材１２６に取り付けられた検知部材１２４が支持部材１２６から離脱するのが抑制される。
【００７８】
また、配線支持部材１３６を矢印Ｇ方向と交差する矢印Ｈ方向に移動させることで、配線支持部材１３６が支持部材１２６から着脱される。このため、配線支持部材１３６が、検知部材１２４の第一爪１３２Ａによって、矢印Ｇ方向に押されても配線支持部材１３６が支持部材１２６から離脱するのが抑制される。
【００７９】
また、検知部材１２４が移動する矢印Ｇ方向と配線支持部材１３６が移動する矢印Ｈ方向とが直交しているため、効果的に、支持部材１２６に取り付けられた検知部材１２４の位置ずれが抑制される。
【００８０】
また、現像装置７０の回転体８６の回転位置を検知する検知部材１２４の取り付けに前述した電気部品の支持構造１３０を用いることで、決められた位置を通過又は停止する回転体８６の検知精度が向上する。
【００８１】
また、決められた位置を通過又は停止した回転体８６の検知精度が向上することで、回転体８６に取り付けられた現像ロール７４の像保持体６２に対する停止位置の精度が向上する。これにより、出力画像の品質が向上する。
【００８２】
また、電気配線１３４の一端をコネクタ１２４Ｂに取り付ける際に、矢印Ｇ方向にコネクタ１２４Ｂを押しても検知部材１２４の位置ずれが抑制される。
【００８３】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、配線支持部材１３６を矢印Ｈ方向に移動させるとこで支持部材１２６に取り付けて、突起１５０を第一爪１３２Ａに当てたが、配線支持部材を支持部材の板面に対して直交する方向等から支持部材に取り付けて、突起を第一爪に当ててもよい。
【００８４】
なお、上記実施形態では、検知部材１２４及び配線支持部材１３６が支持部材１２６に取り付けられた状態で、突起１５０と第一爪１３２Ａとが当る構成について説明したが、突起１５０と第一爪１３２Ａとの間に隙間を設けてもよい。
【符号の説明】
【００８５】
１０              画像形成装置
６２              像保持体
７０              現像装置
７４              現像ロール
８６              回転体
８６Ａ            回転軸
１２４            検知部材（電気部材の一例）
１２４Ｂ          コネクタ（取付部の一例）
１２６            支持部材
１３０            電気部品の支持構造
１３４            電気配線
１３６            配線支持部材
１５２Ｂ          縦孔部（案内部の一例）
【図１】
0005789957.tif 000002
【図２】
0005789957.tif 000003
【図３】
0005789957.tif 000004
【図４】
0005789957.tif 000005
【図５】
0005789957.tif 000006
【図６】
0005789957.tif 000007
【図７】
0005789957.tif 000008
【図８】
0005789957.tif 000009
【図９】
0005789957.tif 000010
【図１０】
0005789957.tif 000011
【図１１】
0005789957.tif 000012
【図１２】
0005789957.tif 000013